【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
印刷装置で実行されるべき処理、後処理装置で実行されるべき処理及び前記後処理装置の処理に先立ってオペレータに行わせるべき処理を含むワークフローに係る情報を管理する管理手段と、
前記管理手段で管理されている前記情報に基づき前記ワークフローにおける前記印刷装置で実行されるべき処理、前記後処理装置で実行されるべき処理及び前記オペレータに行わせるべき作業のスケジューリングを行う制御手段とを有することを特徴とする画像形成システム。
【請求項２】
請求項１記載の画像形成システムであって、
前記制御手段は、
特定のジョブに係るワークフローが他のジョブに係るワークフローより先に完了するように前記印刷装置の動作を制御することを特徴とする画像形成システム。
【請求項３】
請求項１又は２記載の画像形成システムであって、
前記制御手段は、
特定のジョブに係るワークフローが他のジョブに係るワークフローより先に完了するように前記後処理装置の動作を制御することを特徴とする画像形成システム。
【請求項４】
請求項１乃至３のいずれかに記載の画像形成システムであって、
前記制御手段は、
特定のジョブに係るワークフローが他のジョブに係るワークフローより先に完了するように前記後処理装置の動作をネットワーク経由で制御することを特徴とする画像形成システム。
【請求項５】
請求項１乃至４の何れかに記載の画像形成システムであって、
前記制御手段は、
特定のジョブに係るワークフローが他のジョブに係るワークフローより先に完了させるための第１のスケジューリング情報に基いたタイミングで前記特定のジョブ及び前記他のジョブの処理を前記印刷装置及び前記後処理装置の何れかで実行可能にし、
且つ、前記制御手段は、
前記他のジョブに係るワークフローが前記特定のジョブに係るワークフローより先に完了させるための第２のスケジューリング情報に基いたタイミングで前記特定のジョブ及び前記他のジョブの処理を前記印刷装置及び前記後処理装置の何れかで実行可能にすることを特徴とする画像形成システム。
【請求項６】
請求項５記載の画像形成システムであって、
前記制御手段は、
前記第１、第２のスケジューリング情報の何れかに基いて前記印刷装置にて利用を許可する機能を制限することを特徴とする画像形成システム。
【請求項７】
請求項１乃至６の何れかに記載の画像形成システムであって、
前記制御手段は、
ワークフローを完了させるために必要なオペレータに行わせるべき作業に関する情報がオペレータにより確認可能な報知情報を報知手段により出力させることを特徴とする画像形成システム。
【請求項８】
請求項７記載の画像形成システムであって、
前記制御手段は、
オペレータを特定するためのオペレータＩＤの入力に基いて前記報知情報を前記報知手段により出力させることを特徴とする画像形成システム。
【請求項９】
請求項１乃至８の何れかに記載の画像形成システムであって、
前記制御手段は、
特定のジョブに係るワークフローが他のジョブに係るワークフローより先に完了させる指示がユーザインタフェース手段を介して入力された場合に、前記他のジョブに係るワークフローの完了に先立って前記特定のジョブに係るワークフローが完了されるように前記印刷装置の動作を制御することを特徴とする画像形成システム。
【請求項１０】
請求項９記載の画像形成システムであって、
前記制御手段は、前記他のジョブを特定するためのジョブＩＤの入力がなされた後に前記指示を受付け可能にすることを特徴とする画像形成システム。
【請求項１１】
印刷装置で実行されるべき処理、後処理装置で実行されるべき処理及び前記後処理装置の処理に先立ってオペレータに行わせるべき処理を含むワークフローに係る情報を管理する管理手段を有する画像形成システムの制御方法であって、
前記制御方法は、
前記管理手段で管理されている前記情報に基づき前記ワークフローにおける前記印刷装置で実行されるべき処理、前記後処理装置で実行されるべき処理及び前記オペレータに行わせるべき作業のスケジューリングを行うことを特徴とする制御方法。
【請求項１２】
請求項１１記載の制御方法であって、
前記制御方法は、
特定のジョブに係るワークフローが他のジョブに係るワークフローより先に完了するように前記印刷装置の動作を制御することを特徴とする制御方法。
【請求項１３】
請求項１１又は１２記載の制御方法であって、
前記制御方法は、
特定のジョブに係るワークフローが他のジョブに係るワークフローより先に完了するように前記後処理装置の動作を制御することを特徴とする制御方法。
【請求項１４】
請求項１１乃至１３のいずれかに記載の制御方法であって、
前記制御方法は、
特定のジョブに係るワークフローが他のジョブに係るワークフローより先に完了するように前記後処理装置の動作をネットワーク経由で制御することを特徴とする制御方法。
【請求項１５】
請求項１１乃至１４の何れかに記載の制御方法であって、
前記制御方法は、
特定のジョブに係るワークフローが他のジョブに係るワークフローより先に完了させるための第１のスケジューリング情報に基いたタイミングで前記特定のジョブ及び前記他のジョブの処理を前記印刷装置及び前記後処理装置の何れかで実行可能にし、
且つ、前記制御方法は、
前記他のジョブに係るワークフローが前記特定のジョブに係るワークフローより先に完了させるための第２のスケジューリング情報に基いたタイミングで前記特定のジョブ及び前記他のジョブの処理を前記印刷装置及び前記後処理装置の何れかで実行可能にすることを特徴とする制御方法。
【請求項１６】
請求項１５記載の制御方法であって、
前記制御方法は、
前記第１、第２のスケジューリング情報の何れかに基いて前記印刷装置にて利用を許可する機能を制限することを特徴とする制御方法。
【請求項１７】
請求項１１乃至１６の何れかに記載の制御方法であって、
前記制御方法は、
ワークフローを完了させるために必要なオペレータに行わせるべき作業に関する情報がオペレータにより確認可能な報知情報を報知手段により出力させることを特徴とする制御方法。
【請求項１８】
請求項１７記載の制御方法であって、
前記制御方法は、
オペレータを特定するためのオペレータＩＤの入力に基いて前記報知情報を前記報知手段により出力させることを特徴とする制御方法。
【請求項１９】
請求項１１乃至１８の何れかに記載の制御方法であって、
前記制御方法は、
特定のジョブに係るワークフローが他のジョブに係るワークフローより先に完了させる指示がユーザインタフェース手段を介して入力された場合に、前記他のジョブに係るワークフローの完了に先立って前記特定のジョブに係るワークフローが完了されるように前記印刷装置の動作を制御することを特徴とする制御方法。
【請求項２０】
請求項１９記載の制御方法であって、
前記制御方法は、前記他のジョブを特定するためのジョブＩＤの入力がなされた後に前記指示を受付け可能にすることを特徴とする制御方法。
【請求項２１】
請求項１１乃至２０の何れかに記載の制御方法をコンピュータに実行させるためのコンピュータ読取可能な記憶媒体。
【請求項２２】
請求項１１乃至２０の何れかに記載の制御方法をコンピュータに実行させるためのプログラム。
【手続補正２】
【補正対象書類名】明細書
【補正対象項目名】発明の名称
【補正方法】変更
【補正の内容】
【発明の名称】画像形成システムおよび制御方法およびプログラムおよび記憶媒体
【手続補正３】
【補正対象書類名】明細書
【補正対象項目名】００１２
【補正方法】変更
【補正の内容】
【００１２】
本発明は、上記の問題点を解決するためになされたもので、本発明の目的は、印刷業界及びＰＯＤ市場における工程を分類化し、各工程に対して、効率的な作業順序及び他のジョブとの順序等を考慮した最適なスケジューリングを行うことができる仕組を提供することである。
【手続補正４】
【補正対象書類名】明細書
【補正対象項目名】００１４
【補正方法】変更
【補正の内容】
【００１４】
本発明は、印刷装置で実行されるべき処理、後処理装置で実行されるべき処理及び前記後処理装置の処理に先立ってオペレータに行わせるべき処理を含むワークフローに係る情報を管理する管理手段と、前記管理手段で管理されている前記情報に基づき前記ワークフローにおける前記印刷装置で実行されるべき処理、前記後処理装置で実行されるべき処理及び前記オペレータに行わせるべき作業のスケジューリングを行う制御手段とを有することを特徴とする。
【手続補正５】
【補正対象書類名】明細書
【補正対象項目名】００１５
【補正方法】変更
【補正の内容】
【００１５】
また、本発明は、印刷装置で実行されるべき処理、後処理装置で実行されるべき処理及び前記後処理装置の処理に先立ってオペレータに行わせるべき処理を含むワークフローに係る情報を管理する管理手段を有する画像形成システムの制御方法であって、前記制御方法は、前記管理手段で管理されている前記情報に基づき前記ワークフローにおける前記印刷装置で実行されるべき処理、前記後処理装置で実行されるべき処理及び前記オペレータに行わせるべき作業のスケジューリングを行うことを特徴とする。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
本発明によれば、印刷ジョブに対して施す複数の工程のスケジューリングを行って効率的な工程管理を行うことができ、印刷業界及びＰＯＤ市場における工程を分類化し、各工程に対して、効率的な作業順序及び他のジョブとの順序等を考慮した最適なスケジューリングを行うことができる。